(57)【要約】【課題】センサーレンズを備える受光装置において、受光素子の受光角度を広い角度にまで拡大させることができるという利点を減殺することなく、正面方向から入光する信号光が減衰することを防ぐ。【解決手段】受光素子１０と、センサーレンズ２０と、目隠しプレート３０とを備える。センサーレンズ２０を軸方向の貫通孔を有する筒状に形成することによって、目隠しプレート３０に傾斜方向から入光した信号光１００がセンサーレンズ２０の筒壁を通過して受光素子１０に導光され、目隠しプレート３０に正面方向から入光した信号光２００が貫通孔２２を通過して受光素子１０に導光されるようにする。【選択図】図1
2012013721.tif 000002
【特許請求の範囲】
【請求項１】
信号光を受光する受光素子と、この受光素子の前側に配備されて信号光を上記受光素子に導くセンサーレンズと、このセンサーレンズの前側でそのセンサーレンズを覆い隠し、かつ、上記信号光を透過させる性質を備えた目隠しプレートと、を備える受光装置において、
上記センサーレンズを軸方向の貫通孔を有する筒状に形成することによって、上記目隠しプレートに傾斜方向から入光した信号光が上記センサーレンズの筒壁を通過して上記受光素子に導光され、上記目隠しプレートに正面方向から入光した信号光が上記貫通孔を通過して上記受光素子に導光されるように構成してあることを特徴とする受光装置。
【請求項２】
上記センサーレンズの前端面と上記目隠しプレートの裏面とが重なり合っている請求項１に記載した受光装置。
【請求項３】
上記目隠しプレートの裏面に、センサーレンズの上記貫通孔の前部を前拡がりに形成することにより形成された開口が臨んでいる請求項２に記載した受光装置。
【請求項４】
上記目隠しプレートの裏面に、上記センサーレンズの凹凸状に形成された前端面の凸部が重なり合っている請求項２又は請求項３に記載した受光装置。
【発明の詳細な説明】
【技術分野】
【０００１】
本発明は、受光装置、特に、リモートコントローラ（以下「リモコン」という）から出力された機器制御用の信号光を受光する機能を備えた受光装置に関する。
【背景技術】
【０００２】
この種の受光装置の従来例を図４及び図５を参照して説明する。図４は従来例の縦断側面図、図５は図４のＶ−Ｖ線断面図である。この受光装置は、リモコンから出た信号光を受光するリモートセンサーとしての受光素子１０と、この受光素子１０の前側に配備されて信号光を受光素子１０に導く導光体としての円柱状のセンサーレンズ２０と、このセンサーレンズ２０の前側でそのセンサーレンズ２０を覆い隠して見えなくする目隠しプレート３０とを有し、目隠しプレート３０は、上記信号光を透過させる性質を備えている。センサーレンズ２０の前端面２１と目隠しプレート３０の裏面３１とが重なり合っている。
【０００３】
このような受光装置は、たとえばテレビジョン受像機やＤＶＤ、ＢＤなどのＡＶ機器、その他の遠隔制御が可能な電気機器に採用されていて、センサーレンズ２０は、その鍔体２４が電気機器のフレーム４０に固定されている。また、目隠しプレート３０は、電気機器のフロントパネル（不図示）に組み込まれている。
【０００４】
この受光装置にあっては、リモコンから出た信号光が、目隠しプレート３０を透過してセンサーレンズ２０に入光され、そのセンサーレンズ２０の導光作用によって受光素子１０に導かれる。この場合、目隠しプレート３０に傾斜方向から入光した信号光１００は、図示のように屈折してセンサーレンズ２０に入光し、また、目隠しプレート３０に正面方向から入光した信号光２００は図示のように屈折せずにセンサーレンズ２０に入光して、いずれも中実のセンサーレンズ２０を通過して受光素子１０に導かれる。したがって、この受光装置では、目隠しプレート３０に傾斜方向から入光した信号光１００を受光素子２０に導くために、センサーレンズ２０への入光時の光の屈折を利用している。言い換えると、センサーレンズ２０への入光時の光の屈折を利用して受光素子１０に対する受光角度を確保している。
【０００５】
一方、先行例には、赤外線の受光部構造として、キャビネットの穴部に金属板の筒を挿入し、この金属板での光の反射を利用して赤外線を受光ダイオードに導くようにしたものが示されている（たとえば、特許文献１参照）。また、赤外線を信号光線とするリモコン信号の到達距離を増加させることを意図して、柱体の上面に逆円錐状の反射面を形成した全方向プリズムと受光素子と集光レンズとを組み合わせた受光装置も提案されている（たとえば、特許文献２参照）。さらに、フィルム状基材の表面にブルズアイパターンを形成してプラズモアンテナを構成し、その基材の裏面に半導体チップを貼り付け、ブルズアイパターンの中心位置に孔を設けた受光装置も提案されている（たとえば、特許文献３参照）。そのほか、受光モジュールのレンズの前面に凹状の鏡部を形成し、その鏡部に複数の孔を形成しておくことによって、正面から入射してくる信号光の受光到達距離特性の変動を抑制することが提案されている（たとえば、特許文献４参照）。
【先行技術文献】
【特許文献】
【０００６】
【特許文献１】実開昭６３−１８１０８６号公報
【特許文献２】特開平５−１７５９１０号公報
【特許文献３】特開２００７−２２５７６７号公報
【特許文献４】特開平６−２５０１１１号公報
【発明の概要】
【発明が解決しようとする課題】
【０００７】
図４又は図５を参照して説明した従来例による受光装置では、センサーレンズ２０の光屈折性や導光性により、センサーレンズ２０を備えていない受光装置に比べると、受光素子１０による受光角度がより広い角度範囲にまで拡大されるという利点がある。
【０００８】
しかしながら、この受光装置では、目隠しプレート３０に傾斜方向から入光した信号光１００も、目隠しプレート３０に正面方向から入光した信号光２００も、共に中実のセンサーレンズ２０を通過して受光素子１０に導かれる。そのため、上記したような受光素子１０による受光角度がより広い角度にまで拡大されるという利点がある反面で、目隠しプレート３０に正面方向から入光する信号光２００には、センサーレンズ２０の存在することが不利に働く。すなわち、センサーレンズ２０を備えていない受光装置に比べると、目隠しプレート３０に正面方向から入光する信号光２００がセンサーレンズ２０を通過する間に減衰するという問題がある。
【０００９】
この問題を改善するために、目隠しプレート３０の形状や厚さ、成形色、成形材料などを変更することが行われていたが、そのようにすることが十分な解決策にはなっていなかった。
【００１０】
本発明は、以上の問題を改善するためになされたものであり、センサーレンズを備える受光装置において、センサーレンズの構造に改良を加えるだけで、受光素子の受光角度を広い角度にまで拡大させることができるという利点を減殺することなく、目隠しプレートに正面方向から入光する信号光が減衰することのないようにすることを解決課題としている。
【課題を解決するための手段】
【００１１】
本発明に係る受光装置は、信号光を受光する受光素子と、この受光素子の前側に配備されて信号光を上記受光素子に導くセンサーレンズと、このセンサーレンズの前側でそのセンサーレンズを覆い隠し、かつ、上記信号光を透過させる性質を備えた目隠しプレートと、を備えている。そして、上記センサーレンズを軸方向の貫通孔を有する筒状に形成することによって、上記目隠しプレートに傾斜方向から入光した信号光が上記センサーレンズの筒壁を通過して上記受光素子に導光され、上記目隠しプレートに正面方向から入光した信号光が上記貫通孔を通過して上記受光素子に導光されるように構成してある。
【００１２】
この構成を有する受光装置は、センサーレンズを備えていない受光装置に比べると、目隠しプレートに傾斜方向から入光した信号光が、センサーレンズの光屈折性や導光性により、受光素子による受光角度がより広い角度範囲にまで拡大される。また、目隠しプレートに正面方向から入光した信号光は、センサーレンズの貫通孔を通過して受光素子に導かれるようになり、センサーレンズを通過することによる信号光の減衰が生じなくなって、正面方向での受光素子による受光可能距離が、センサーレンズを備えていない受光装置と同等になる。
【００１３】
本発明では、上記センサーレンズの前端面と上記目隠しプレートの裏面とが重なりあっていることが望ましい。これによると、目隠しプレートに傾斜方向から入光した信号光が、空気層を通らずにセンサーレンズに導入される。
【００１４】
本発明では、上記目隠しプレートの裏面に、センサーレンズの上記貫通孔の前部を前拡がりに形成することにより形成された開口が臨んでいる、という構成を採用することも可能である。これによれば、目隠しプレートの正面方向から少しだけ偏った位置から出射された信号光も、目隠しプレートの正面方向から出射された信号光と同様に、センサーレンズの貫通孔を通過して受光素子に導かれるようになり、センサーレンズを通過することによる信号光の減衰が生じなくなる。
【００１５】
本発明では、上記目隠しプレートの裏面に、上記センサーレンズの凹凸状に形成された前端面の凸部が重なり合っていることが望ましい。この構成であると、凹凸状に形成されたセンサーレンズの前端面が、信号光を屈折させる作用を発揮することにより、受光素子による受光角度がいっそう広い角度範囲にまで拡大される。
【発明の効果】
【００１６】
以上のように、本発明によれば、センサーレンズを備える受光装置において、受光素子の受光角度を広い角度にまで拡大させることができるという利点を減殺することなく、目隠しプレートに正面方向から入光する信号光が減衰する事態を生じない。そして、このような作用ないし効果が、余分な部品を追加することなく、センサーレンズを軸方向の貫通孔を有する筒状に形成するだけで得られるという利点がある。
【図面の簡単な説明】
【００１７】
【図１】本発明の実施形態に係る受光装置の縦断側面図である。
【図２】図１のＩＩ−ＩＩ線断面図である。
【図３】図１の部分拡大図である。
【図４】従来例の縦断側面図である。
【図５】図４のＶ−Ｖ線断面図である。
【発明を実施するための形態】
【００１８】
図１は本発明の実施形態に係る受光装置の縦断側面図、図２は図１のＩＩ−ＩＩ線断面図、図３は図１の部分拡大図である。
【００１９】
この受光装置の基本構成は、図４又は図５を参照して説明した従来例と同様である。すなわち、受光装置は、リモコンから出た信号光を受光するリモートセンサーとしての受光素子１０と、この受光素子１０の前側に配備されて信号光を受光素子１０に導く導光体としての円柱状のセンサーレンズ２０と、このセンサーレンズ２０の前側でそのセンサーレンズ２０を覆い隠して見えなくする目隠しプレート３０とを有し、目隠しプレート３０は、上記信号光を透過させる性質を備えている。センサーレンズ２０の前端面２１と目隠しプレート３０の裏面３１とが重なり合っている。
【００２０】
また、この受光装置は、たとえばテレビジョン受像機やＤＶＤ、ＢＤなどのＡＶ機器、その他の遠隔制御が可能な電気機器に採用されていて、センサーレンズ２０は、その鍔体２４が電気機器のフレーム４０に固定されている。また、目隠しプレート３０は、電気機器のフロントパネル（不図示）に組み込まれている。センサーレンズ２０にはアクリル樹脂などの透光性に富む材料が用いられている。
【００２１】
図１〜図３のように、この実施形態では、センサーレンズ２０を軸方向の貫通孔２２を有する筒状に形成してある。また、目隠しプレート３０の裏面３１に、センサーレンズ２０の貫通孔２２の前部を前拡がりに形成することにより形成された開口２３を臨ませている。さらに、図３に示したように、目隠しプレート３０の裏面３１に、センサーレンズ２０の凹凸状に形成された前端面２１の凸部２４が重なり合っている。凸部２４は、センサーレンズ２０の前端面２１に同心状に多数設けられている。
【００２２】
受光装置が上記構成を有していると、目隠しプレート３０に傾斜方向から入光した信号光１００が、センサーレンズ２０の筒壁を通過してその光屈折性や導光性により受光素子１０に導かれる。また、目隠しプレート３０に正面方向から入光した信号光２００は、その筒壁を通過することなく、センサーレンズ２００の貫通孔２２を通過して受光素子１０に導かれる。このため、この実施形態の受光装置によると、センサーレンズ２０の光屈折性や導光性などの特性により、受光素子１０による受光角度がより広い角度にまで拡大されるという、センサーレンズ２０を設けたことによる利点が十分に発揮されるだけでなく、目隠しプレート３０に正面方向から入光する信号光２００にはセンサーレンズ２０の上記特性の影響が及ばないので、その信号光２００がセンサーレンズ２０を通過する間に減衰するという状況の起こり得る余地がない。したがって、受光素子１０による受光角度がセンサーレンズ２０の特性によって広い角度にまで拡大されるという利点と同時に、目隠しプレート３０に正面方向から入光する信号光２００に対しては、正面方向での受光素子１０による受光可能距離が、センサーレンズ２０を備えているにかかわらずセンサーレンズ２０を備えていない受光装置と同等になる。
【００２３】
また、この実施形態では、目隠しプレート３０の裏面３１に重なり合っているセンサーレンズ２０の凹凸状の前端面２１の凸部２４が重なり合っていることにより、広い空気層を介さずに、目隠しプレート３０を通過した信号光１００がセンサーレンズ２０の前端面２１で複雑に屈折してセンサーレンズ２０の筒壁に導入される。その結果、受光素子１０による受光角度がいっそう広い角度範囲にまで拡大される。さらに、この実施形態では、センサーレンズ２０の貫通孔２２の前部を前拡がりに形成されていて、その前拡がり部分の開口２３が目隠しプレート３０の裏面３１に臨んでいることにより、目隠しプレート３３０の正面方向から少しだけ偏った位置から出射された信号光も、目隠しプレート３０の正面方向から出射された信号光２００と同様に、センサーレンズ２０の貫通孔２２を通過して受光素子１０に導かれるようになり、センサーレンズ２０を通過することによる信号光の減衰が生じなくなる。そのため、目隠しプレート３０の正面方向から少しだけ偏った位置から出射された信号光に対しても、受光素子１０による受光可能距離が、正面方向での受光素子１０による受光可能距離と同等になるという利点がある。
【符号の説明】
【００２４】
１０  受光素子
２０  センサーレンズ
３０  目隠しプレート
２１  センサーレンズの前端面
２２  貫通孔
２３  開口
２４  凸部
３１  目隠しプレートの裏面
【図１】
2012013721.tif 000003
【図２】
2012013721.tif 000004
【図３】
2012013721.tif 000005
【図４】
2012013721.tif 000006
【図５】
2012013721.tif 000007